(57)【特許請求の範囲】
【請求項１】
互いに平行な一対の側板と、
前記側板間をつなぐ金属製のステー部材と、
で構成した筐体にファンモータを取り付ける構造であって、
前記ステー部材がスリット状の複数の開口を備える金属製のフィンガーガード形状部を有し、
前記ステー部材の前記フィンガーガード形状部に対応させて前記ステー部材に前記ファンモータを配設する
ことを特徴とする筐体のファンモータ取り付け構造。
【請求項２】
請求項１の筐体のファンモータ取り付け構造において、
前記フィンガーガード形状部の前記開口の長手方向が、前記ステー部材の圧縮方向であることを特徴とする筐体のファンモータ取り付け構造。
【請求項３】
請求項１の筐体のファンモータ取り付け構造において、
前記フィンガーガード形状部の前記開口の長手方向が、前記ステー部材の長手方向であることを特徴とする筐体のファンモータ取り付け構造。
【請求項４】
請求項１から３のいずれかに記載の筐体のファンモータ取り付け構造において、
前記ステー部材に設けた絞り形状部を前記フィンガーガード形状部の絞り形状部として前記フィンガーガード形状部を前記ファンモータから前記絞り形状部を設けない場合に比べて離して設け得るようにしたことを特徴とする筐体のファンモータ取り付け構造。
【請求項５】
請求項１から４のいずれかに記載の筐体のファンモータ取り付け構造を備えた画像形成装置において、
前記フィンガーガード形状部に対応させて前記筐体の外装カバーに設けるルーバー形状部の複数のルーバー間隔及び配置に対し、前記フィンガーガード形状部の前記開口の枠を、互いに重なり合い、少なくとも前記フィンガーガード形状部の前記枠のほうが前記ルーバー形状部の前記ルーバーよりも細く形成してなることを特徴とする画像形成装置。
【請求項６】
請求項５の画像形成装置において、
前記フィンガーガード形状部及び前記ルーバー形状部において、該ルーバー形状部が備える前記ルーバーの長手方向及び前記フィンガーガード形状部の前記開口の枠と直交する方向にリブを設けることを特徴とする画像形成装置。
【請求項７】
請求項５または６の画像形成装置において、
前記ルーバー形状部の開口の形状を、前記ファンモータを収納するケースの開口の形状と同形状としたことを特徴とする画像形成装置。
【発明の詳細な説明】
【技術分野】
【０００１】
本発明は、複写機、プリンタ、ファクシミリ、これらの複合機などの画像形成装置の筐体へのファンモータ取り付け構造と、これを備えた画像形成装置に関する。
【背景技術】
【０００２】
複写機などの画像形成装置には、装置内部を冷却するために、吸気用や排気用のファンモータが設けられている。このファンモータに対しては、回転翼への可触防止のため、板金または金属製の線材等で構成される可触防止部材を配置することや、樹脂製外装カバーにルーバー形状を備えて可触防止機能を持たせること等が知られている。
【０００３】
しかし、従来の板金または金属製の線材等で構成される可触防止部材は、画像形成装置の外壁面に露出した場合、装置との一体感がなくなり、外観上好ましくなくなる。また、樹脂製の外装カバーに備え付けらえたルーバー形状に関しては、外観上は好ましいが、板金や金属製線材と比較して強度が低いため、ルーバー部裏面にリブ等を追加して補強しなければならない。そのため、リブ高さ以上の空間を必要とするので、画像形成装置の小型化を阻害したり、ファンモータの効率を落としたりするという問題があった。
【０００４】
特許文献１は、ファンモータの効率を落とすことなく、外装カバーに設けられたルーバーの強度をあげることを目的とし、ルーバーの強度を上げる目的で、水平枠体及び垂直枠体を持ったルーバー形状が開示している。このルーバー形状は、整流作用をもつ整流部材が１段置きに延長されており、整流効果を低下させることなく外部からの力や衝撃に対して強度を保持できる構成とされている。
【発明の概要】
【発明が解決しようとする課題】
【０００５】
しかしながら特許文献１に開示されている構造では、ルーバーの強度を保持させる点は達成可能であるとしても、省スペースという問題は解消できていない。
【０００６】
そこで本発明においては、外部からの力や衝撃に対して強度を保持でき、かつ外観を損なうことなくファンモータの回転翼への可触を防止し、ファンモータの効率を落とすことなく装置を小型化できる筐体のファンモータ取り付け構造と、これを備えた画像形成装置を提供することを目的とする。
【課題を解決するための手段】
【０００７】
本発明の筐体のファンモータ取り付け構造のうち請求項１に係るものは、互いに平行な一対の側板と、前記側板間をつなぐ金属製のステー部材と、で構成した筐体にファンモータを取り付ける構造であって、前記ステー部材がスリット状の複数の開口を備える金属製のフィンガーガード形状部を有し、前記ステー部材の前記フィンガーガード形状部に対応させて前記ステー部材に前記ファンモータを配設することを特徴とする。
【０００８】
同請求項２に係るものは、請求項１の筐体のファンモータ取り付け構造において、前記フィンガーガード形状部の前記開口の長手方向が、前記ステー部材の圧縮方向であることを特徴とする。
【０００９】
同請求項３に係るものは、請求項１の筐体のファンモータ取り付け構造において、前記フィンガーガード形状部の前記開口の長手方向が、前記ステー部材の長手方向であることを特徴とする。
【００１０】
同請求項４に係るものは、請求項１から３のいずれかに記載の筐体のファンモータ取り付け構造において、前記ステー部材に設けた絞り形状部を前記フィンガーガード形状部の絞り形状部として前記フィンガーガード形状部を前記ファンモータから前記絞り形状部を設けない場合に比べて離して設け得るようにしたことを特徴とする。
【００１１】
同請求項５に係る画像形成装置は、請求項１から４のいずれかに記載の筐体のファンモータ取り付け構造を備えた画像形成装置であって、前記フィンガーガード形状部に対応させて前記筐体の外装カバーに設けるルーバー形状部の複数のルーバー間隔及び配置に対し、前記フィンガーガード形状部の前記開口の枠を、互いに重なり合い、少なくとも前記フィンガーガード形状部の前記枠のほうが前記ルーバー形状部の前記ルーバーよりも細く形成してなることを特徴とする。
【００１２】
同請求項６に係るものは、請求項５の画像形成装置において、前記フィンガーガード形状部及びルーバー形状部において、前記フィンガーガード形状部及び前記ルーバー形状部において、該ルーバー形状部が備える前記ルーバーの長手方向及び前記フィンガーガード形状部の前記開口の枠と直交する方向にリブを設けることを特徴とする。
【００１３】
同請求項７に係るものは、請求項５または６の画像形成装置において、前記ルーバー形状部の開口の形状を、前記ファンモータを収納するケースの開口の形状と同形状としたことを特徴とする。
【発明の効果】
【００１４】
本発明に係る筐体のファンモータ取り付け構造と、これを備えた画像形成装置は、外部からの力や衝撃に対して強度を保持でき、かつ、外観を損なうことなくファンモータの回転翼への可触を防止できる。
【００１５】
また本発明の請求項４に係る筐体のファンモータ取り付け構造と、これを備えた画像形成装置は、ファンモータの効率を落とすことなく装置を小型化、省スペース化を図れる。
【図面の簡単な説明】
【００１６】
【図１】画像形成装置の側面構成について示す図
【図２】画像形成装置の内部構成について示す図
【図３】ルーバーのフィンガーガードの構成について示す断面図
【図４】図３の要部を拡大して示す図
【図５】ルーバー部の構成を拡大して示す正面図
【図６】本発明の実施対象となる画像形成装置の一例としての複写機を示す概念図
【発明を実施するための形態】
【００１７】
本発明は、互いに平行に備え付けられた側板間をつなぐステー部材にフィンガーガード形状部を設け、その内側にファンモータを設置する。フィンガーガード形状部は、その形状が、開口部の長手方向がステーの圧縮方向であって、ステーの圧縮強度を確保できるようになっている。またフィンガーガード形状部を設けることでファンモータへの可触を防止するためだけの保護部材を取り付ける必要がなくなりようにしている。ステー部材は、通常は画像形成装置の装置本体、すなわち筐体の変形を防ぐための部材であるため金属製であり、外部からの力や衝撃等に対し強靱である。そのためファンモータを外装カバー近傍に配置し、外装カバーのルーバー間隔及びルーバーに対して互いに重なり合う位置にフィンガーガード形状部を配置して開口面積を大きくとり、また、不要な金属部分を外装カバーで覆うようにするものである。
【００１８】
フィンガーガード形状部は、開口部の長手方向がステーの圧縮方向である形状を有し、それによってステーの圧縮強度を確保する構成の部分である。
【実施例】
【００１９】
本発明の実施例を、図面を参照して説明する。
図６は画像形成装置の一例としての複写機を、機能がわかりやすいように概念的に描いてあり、１は複写機本体、２は原稿台、３は原稿、４は感光体、５は給紙部、６は転写紙、７は定着部である。原稿台２上の原稿３の画像を読み取り、感光体４上に図示しない現像装置等によってトナー像を形成し、これを図示しない転写手段により転写紙６に転写し、定着部７により転写したトナー像を転写紙６上に定着させ、機外へ排出する。なお本発明で対象とする画像形成装置は、もちろん図示のようなタイプ以外の構成を有する装置も含む。
【００２０】
＜実施例１＞
図１は、本発明の実施例１に係り、上述のような画像形成装置の側面構成について説明するための図である。図示の画像形成装置の側面を構成する外装カバー１１にはルーバー形状部１２が例えば４箇所設けてある。
【００２１】
図２は、図１のルーバー形状部１２を備えた画像形成装置の装置本体、すなわち筐体の構造を示す斜視図である。図２では、図１に示した外装カバー１２を外して内部構成を示している。図示のように、互いに平行して一対の側板、すなわち前側板１３及び後側板１４がベース１５に備え付けられており、前側板１３及び後側板１４の間に張り渡したステー部材１６により筐体は変形を防がれている。
【００２２】
ステー部材１６には複数のスリット形状の開口からなるフィンガーガード形状部（以下、単にフィンガーガード部と記載する）１７が形成されており、裏側にはファンモータ１８が取り付けられている（図３参照）。フィンガーガード部１７はルーバー形状部１２に対応して概略として円形形状を呈するようにスリットを形成してあり、それらスリットの形状は、開口部の長手方向がステー部材１６の長手方向、換言すれば前側板１３と後側板１４とにより圧縮される力を受ける方向、すなわち図１の左右方向、図２の斜め右上がりになる左右方向、になる形状を有し、それによってステー部材１６の圧縮強度があまり低下しないように確保している。
【００２３】
またステー部材１６にファンモータ１８を取り付けてあることにより、ファンモータ専用のブラケットを設けなくて良くなるので、コストダウンを図れるようにしてある。
【００２４】
なおステー部材１６のフィンガーガード部１７の開口は、例えばＵＬ１４５９用テストフィンガーがファンモータ１８の回転部分に触れることができない幅のものとしてあり、また、フィンガーガード部１７のスリットを形成するための周囲の枠の幅は安全規格で定められている鋼球衝撃試験においても不具合が発生しないような幅で構成してある。
【００２５】
図３は、ルーバー形状部１２とフィンガーガード部１７の構成について詳細に説明するため、側面から見た断面図を示す。外装カバー１１に設けられているルーバー部１２は、上から落下してきたものが筐体内部に入りにくくするために鎧戸形状を有しており、ルーバー部１２とフィンガーガード部１７の位置は互いに重なり合うように配置してある。
【００２６】
また、ルーバー部１２を構成する各ルーバーの幅は、フィンガーガード部１７を構成する枠の幅と同じか若干太くしてあり、金属製のフィンガーガード部１７を覆い隠すようになっている。すなわち、金属部分（フィンガーガード部１７）が見えなくなるため、外観上好ましい構成となる。
【００２７】
図４は、ルーバー部１２の形状について説明する図であり、詳しくは、ルーバー部１２を正面から見た図である。図示のように、ルーバー部１２に直交するような縦リブ１９をルーバー部１２及びフィンガーガード部１７にそれぞれ設けることにより、ルーバー部１２の変形を防止し、また、外装カバー１１を組み付ける際にルーバー部１２がフィンガーガード部１７に入り込むのを防止している。
【００２８】
なお、縦リブ１９の幅は吸排気効率が落ちないようできるだけ細い方が望ましい。また外装カバー１１の開口部の形状は、ファンモータ１８のケースの開口部形状に合わせることで不要な板金部分を見せることがないようにして外観上好ましい構成とし得る。
【００２９】
＜実施例２＞
図５は本発明の実施例２を示す断面図である。本実施例は、ステー部材１６に絞り形状部を設ける。具体的には、フィンガーガード部１７に絞り形状部１７ａを設ける。このようにすると、先の実施例よりもフィンガーガード部１７をファンモータ１８から例えば５ｍｍ程度離すことが可能になり、風切り音発生を防止し、外部から加えられる力に対しても余裕度を向上させ得るようになる。
【００３０】
すなわちこの構成により、ルーバー部１２に対して高いリブ等を追加して強度向上を図ることなく、ファンモータ１８を外装カバー１１近傍に設置することができ、不要となるリブ高さ分だけ装置を小型化できるようにしてある。また、金属製であるフィンガーガード部１７が外部からの力に対してはより強度を保つため、ルーバー部２の幅を最小にすることができ、そのため開口部を最大とすることができ、吸排気効率を向上させることが可能となっている。
【符号の説明】
【００３１】
１：複写機本体
２：原稿台
３：原稿
４：感光体
５：給紙部
６：転写紙
７：定着部
１１：外装カバー
１２：ルーバー形状部
１３：前側板
１４：後側板
１５：ベース
１６：ステー部材
１７：フィンガーガード部（フィンガーガード形状部）
１７ａ：フィンガーガード部の絞り形状部
１８：ファンモータ
１９：縦リブ
【先行技術文献】
【特許文献】
【００３２】
【特許文献１】特開２００６−２７５５００号公報
【図１】
0005773326.tif 000002
【図２】
0005773326.tif 000003
【図３】
0005773326.tif 000004
【図４】
0005773326.tif 000005
【図５】
0005773326.tif 000006
【図６】
0005773326.tif 000007